(57)【特許請求の範囲】
【請求項１】
水平方向に延在する上面を有する一の構築部と、この一の構築部に連接し、前記上面から上方へ立ち上がる立上り面を有する二の構築部とを有するコンクリート製建築構造物であって、
前記上面と立上り面の角部には、該上面に沿って位置する水平板部と、
該水平板部から前記立上り面に沿って上方へ突出するように連設され、前記立上り面に直交する水平方向に間隔を隔てて配置された外側立上り壁部および内側立上り壁部とからなるコーナー部材が設けられ、
前記一対の立上り壁部間に前記立上り面に沿って配置される立上り面形成板の下端が嵌着され、
前記水平板部の下方および前記立上り面形成板の側方にコンクリートが打設されていることを特徴とするコンクリート製建築構造物。
【請求項２】
請求項１において、
前記コーナー部材には、前記水平板部の上面と前記外側立上り壁部の外面との間に、該外側立上り壁部から該水平板部の上面に向け下る方向に傾斜する補強壁部が固定されていることを特徴とするコンクリート製建築構造物。
【請求項３】
請求項１または請求項２記載の建築構造物において、
前記立上り面の上端部には、該立上り面から略水平方向に突出する突出部が形成され、
該突出部の前記上面と対向する下面および突出する先端の端面並びに前記立上り面の上部にかけて、
該端面に沿って配置される端面形成板部、該下面に沿って配置される下面形成板部および該上部に沿って前記立上り面形成板と面一状態に配置される上部立上り面形成板部からなる上部面形成板が設けられていることを特徴とするコンクリート製建築構造物。
【請求項４】
水平方向に延在する上面を有する一の構築部と、この一の構築部に連接し、前記上面から上方へ立ち上がる立上り面を有する二の構築部とを有するコンクリート製建築構造物の構築方法であって、
予め水平板部の一端に、該水平板部から一定の間隔をおいて立ち上がる外側立上り壁部、内側立上り壁部が設けられたコーナー部材と、前記立上り壁部間に下端が嵌着自在な立上り面形成板とを準備し、
前記上面と立上り面の角部に、前記水平板部を該上面に沿わせると共に、前記外側立上り壁部、内側立上り壁部を該立上り面に沿わせて前記コーナー部材を配置し、
前記立上り壁部間に前記立上り面形成板を嵌着させ、これらコーナー部材、立上り面形成板を打込型枠として、他の型枠形成部材との間にコンクリートを打設することを特徴とするコンクリート製建築構造物の構築方法。
【発明の詳細な説明】
【０００１】
【発明の属する技術分野】
本発明は、コンクリート製建築構造物およびその構築方法に関するものである。
【０００２】
【従来の技術】
周知のように、パラペット、機械基礎、ハト小屋等のようなコンクリート製建築構造物は、水平に延在する建築物の上面に対して上方へ立ち上がる壁部を有する構造となっている。従来、この種のコンクリート製建築構造物およびその構築方法として、図３から図６に示したもの（特開平７−２６６４４号公報により提案されたもの）が知られている。
【０００３】
図３において、符号１は屋根スラブ、２はパラペットである。屋根スラブ１は、上面１ａを有し水平方向に延在している。パラペット２は、屋根スラブ１に連接し上面１ａから上方へ立ち上がる立上り面３ａを有する立上り部３と、立上り面３ａの上端部３ｂから略水平方向に突出する突出部４とで概略構成されている。
【０００４】
前記上面１ａから立上り面３ａそして突出部４の壁部にかけて、下からＬ型部材１０、立上り面形成板１１、上部面形成板１２が配されており、コンクリートとともに埋め込まれるセメントモルタル製の打込型枠として使用されている。
Ｌ型部材１０は断面略Ｌ字型であり、上面１ａと立上り面３ａとが交差する角部に配置されている。
立上り面形成板１１は、立上り面３ａに沿って配置されている。
上部面形成板１２は、前記突出部４の前記上面１ａと対向する下面４ａ、端面４ｂ、前記立上り面３ａの上部にかけて設けられたものであり、前記端面４ｂに沿って配置される端面形成板部１２ａ、前記下面４ａに沿って配置される下面形成板部１２ｂおよび立上り面３ａに沿って前記立上り面形成板１１と面一状態に配置される上部立上り面形成板部１２ｃから構成されている。
前記上部面形成板１２の下面形成板部１２ｂには、下方に向けて開口する水切り部１３が形成されており、この水切り部１３の内側には該水切り部１３に沿って下方に向けて開口する開口溝１４が形成されている。
Ｌ型部材１０の上端と立上り面形成板１１の下端との接合部および、立上り面形成板１１の上端と上部面形成板１２の上部立上り面形成板部１２ｃの下端との接合部にはそれぞれ、図４に示す断面形状の下側Ｈ型連結部材１５ａおよび上側Ｈ型連結部材１５ｂが介装されている。
【０００５】
次に、上記の構築物の構築方法について説明する。
まず、図５（ａ）に示すように、屋根スラブ１の上端鉄筋Ｒ１上に、スペーサーブロック２１を配置するとともに、このスペーサブロック２１上に、Ｌ型部材１０を配置する。そして、このＬ型部材１０と、すでに構築された外壁躯体（図示せず）に沿って配設された外型枠２２とを所定間隔を隔てて対向するように型枠支持部材２３により支持・固定し、コンクリート打設空間Ｓを形成する。コンクリート打設空間Ｓ内に屋根スラブ１の上面１ａより高い位置に前記立上り部３の打継ぎ面Ａが位置するようにコンクリートを打設する。この際、打継ぎ面Ａの外型枠２２側には打ち継ぎ目地材２４を配設する（図５（ｂ）参照）。
次に、打設したコンクリートが硬化した後、図５（ｂ）に示すように、Ｌ型部材１０側のピーコン等の締付ナット金物を取り外すとともに、構築されるパラペット２の立上り部３および突出部４に所定のかぶり厚を有するように鉄筋Ｒ２を配筋する。
【０００６】
さらに、図６（ａ）に示すように、Ｌ型部材１０の上端部に下側Ｈ型連結部材１５ａの下側嵌合凹部を嵌合し、この下側Ｈ型連結部材１５ａの上側嵌合凹部に立上り面形成板１１の下端部を嵌合して接合させる。そして、立上り面形成板１１の上端部に上側Ｈ型連結部材１５ｂも同様に嵌合し、さらに、この上側Ｈ型連結部材１５ｂの上側嵌合凹部に上部面形成板１２の下端部を嵌合させる。そして、この上部面形成板１２に形成した孔に型枠支持部材２３を取り付けて外型枠２２とＬ型部材１０、立上り面形成板１１および上部面形成板１２からなる内込型枠とを支持・固定し、コンクリート打設空間Ｓ２を形成する。ここで、コンクリート打設によるひずみを防ぐために、上部面形成板１２の下面形成板部１２ｂに支保工２６を施しておく。
【０００７】
そして、コンクリート打設空間Ｓ２内にコンクリートＣを打設し、コンクリートＣの硬化後にフォームタイ座金２３ａ、丸形鋼管２７、フォームタイ締付金具２３ｂ、および外型枠２２を取り外した後のパラペット２の表面仕上げを施す。
【０００８】
さらに、屋根スラブ１の上面１ａから上部面形成板１２の下側にかけて防水層２８を貼設あるいは塗布するとともに、その端部を押さえ金物２９で固定し、押さえ金物２９と下面形成板部１２ｂとの隙間にシール材３０を充填してコーキング処理を行う。そして、屋根スラブ１の上面１ａに断熱材３１を配設するとともに、その上部にＬ型部材１０に所定のコーナークッション材３２を取り付け、押さえコンクリート３３を打設する。さらに、下面形成板部１２ｂの開口溝１４に保護パネル３４の上端部を嵌め込んで固定し、パラペット２の構築を完了する。
【０００９】
【発明が解決しようとする課題】
ところで、上記のコンクリート製構造物であるパラペットおよびその構築方法では以下のような問題があった。
第一の問題として、Ｌ型部材１０はセメントモルタルの押し出し成型品であるため厚みが厚く重い。そのため、作業者に重労働を強いることになり、ひいては作業性が悪いという問題があり、かつコンクリート躯体がＬ型部材１０の厚みのために床スラブの躯体強度が低下する断面欠損の問題が指摘されている。
第二の問題として、パラペット等のコンクリート製建築構造物を構築する際に、立上り面形成板１１とＬ型部材１０を接合するためにＬ型部材の上端に下側Ｈ型連結部材１５ａが必要であった。しかし、これは工法の簡略化、構築部材の削減を阻む要因となっていた。
そこで、本発明は、上記の課題に鑑みてなされたもので、作業者に重労働を強いずに作業性の良い、構造強度上問題のないコンクリート製建築構造物およびその構築方法を提供するということを第一の目的とする。
第二の目的としては、施工工程が簡単なコンクリート製建築構造物とおよびその構築方法を提供することである。
【００１０】
【課題を解決するための手段】
本発明のコンクリート製建築構造物およびその構築方法では、上記課題を解決するため、以下の手段を採用した。
請求項１記載のコンクリート製建築構造物は、水平方向に延在する上面を有する一の構築部と、この一の構築部に連接し、前記上面から上方へ立ち上がる立上り面とを有する二の構築部とを有するコンクリート製建築構造物であって、前記上面と立上り面の角部には、該上面に沿って位置する水平板部と、該水平板部から前記立上り面に沿って上方へ突出するように連設され、前記立上り面に直交する水平方向に間隔を隔てて配置された外側立上り壁部および内側立上り壁部とからなるコーナー部材が設けられ、前記一対の立上り壁部間に前記立上り面に沿って配置される立上り面形成板の下端が嵌着され、前記水平板部の下方および前記立上り面形成板の側方にコンクリートが打設されていることを特徴とする。
この発明によれば、コーナー部材に立上り面形成板を嵌着することにより立上り面を形成することができるので、これら二つの部材のみで立上り面を有するコンクリート製建築構造物を構築することが可能となる。
【００１１】
請求項２記載のコンクリート製建築構造物は、請求項１において、前記コーナー部材には、前記水平板部の上面と前記外側立上り壁部の外面との間に、該外側立上り壁部から該水平板部の上面に向け下る方向に傾斜する補強壁部が固定されていることを特徴とする。
この発明により、コーナー部材の水平板部と外側立上り壁部の間に補強壁部を固定することにより、水平板部と外側立上り壁部とが交差する角部にかかる荷重に対する強度の向上を図ることができる。
【００１２】
請求項３記載のコンクリート製建築構造物は、請求項１または請求項２記載の建築構造物において、前記立上り面の上端部には、該立上り面から略水平方向に突出する突出部が形成され、該突出部の前記上面と対向する下面および突出する先端の端面並びに前記立上り面の上部にかけて、該端面に沿って配置される端面形成板部、該下面に沿って配置される下面形成板部および該上部に沿って前記立上り面形成板と面一状態に配置される上部立上り面形成板部からなる上部面形成板が設けられていることを特徴とする。
この発明により、立上り面から略水平方向に突出する突出部をもち、上部面形成板でその壁部を形成されたコンクリート製建築構造物の構築をすることが可能となる。
【００１３】
請求項４記載のコンクリート製建築構造物の構築方法は、予め水平板部の一端に、該水平板部から一定の間隔をおいて立ち上がる外側立上り壁部、内側立上り壁部が設けられたコーナー部材と、前記立上り壁部間に下端が嵌着自在な立上り面形成板とを準備し、前記上面と立上り面の角部に、前記水平板部を該上面に沿わせると共に、前記外側立上り壁部、内側立上り壁部を該立上り面に沿わせて前記コーナー部材を配置し、前記立上り壁部間に前記立上り面形成板を嵌着させ、これらコーナー部材、立上り面形成板を打込型枠として、他の型枠形成部材との間にコンクリートを打設することを特徴とする。
この構築方法によれば、打込型枠としてコーナー部材と立上り面形成板を用い、コーナー部材に立上り面形成板を嵌着することにより立上り面を形成することができるので、これら二つの部材のみで立上り面を有するコンクリート製建築構造物を構築することが可能となる。
【００１４】
【発明の実施の形態】
以下、本発明の実施の形態を、図１、図２を参照して説明する。
なお、これらの図において従来の技術で示した図３から図６までの図と共通する部分については同一符号を付し、その説明を省略する。
【００１５】
以下、従来の技術で示した構成と異なる点について説明する。
まず、従来の技術におけるＬ型部材１０（図３参照）がコーナー部材５０（図２参照）に変更されたところが異なる。
コーナー部材５０は屋根スラブ１（一の壁部）の上面１ａに沿って位置する水平板部５０ａと、立上り部３（二の壁部）の立上り面３ａに沿って上方に突出するように連設され、立上り面３ａに直交する水平方向に間隔を隔てて配置された外側立上り壁部５０ｂおよび内側立上り壁部５０ｃとから構成されている。また、水平板部５０ａの上面と外側立上り壁部５０ｂの外面との間に、外側立上り壁部５０ｂから水平板部５０ａの上面に向け下る方向に傾斜する補強壁部５０ｄが固定されている。
外側立上り壁部５０ｂと内側立上り壁部５０ｃの間隔は、立上り面形成板１１が嵌着可能に立上り面形成板１１の板厚よりも若干大きい間隔を設けている。
内側立上り壁部５０ｃの立上り長さが外側立上り壁部５０ｂよりも短いのは、コンクリート打設後の状態においてコンクリートＣと立上り面形成板１１との接触面積をなるべく大きくとり、付着力を向上させるためである。
また、水平板部５０ａの一端には鉄筋Ｒ１に固定されたレベラー６０が取り付けられている。
なお、コーナー部材５０は、軽量で強度を有するアルミニウム合金の押し出し成型品であり、その板厚は約2.0mmである。
【００１６】
立上り面形成板１１は、コーナー部材５０に嵌入される状態で配設されるので、従来の技術で示した立上り面形成板１１（図３参照）とはその立ち上がる長さが異なる。
【００１７】
立上り面形成板１１と上部面形成板１２のコンクリートＣと接する壁部には凸部５１もしくは凹部５２が形成されている。これは、コンクリートＣと立上り面形成板１１もしくは上部面形成板１２との付着力を向上させるためである。
なお、図１中には、従来の技術で示した構築後に設ける防水層２８、断熱材３１、コーナークッション材３２、押さえコンクリート３３が示されている。
【００１８】
次に、本実施の形態におけるコンクリート製建築構造物の構築方法を示す。
まず、図１に示すように、レベラー６０の下部を鉄筋Ｒ１に固定し、レベラー６０の上部をコーナー部材５０の水平板部５０ａの一端に固定する。コーナー部材５０の外側立上り壁部５０ｂと内側立上り壁部５０ｃとで形成される凹部に立上り面形成板１１の下端部を嵌合して接合させる。そして立上り面形成板１１の上端部に上側Ｈ型連結部材１５ｂの下側嵌合凹部を嵌合し、この上側Ｈ型連結部材１５ｂの上側嵌合凹部に上部面形成板１２の下端部を嵌合させる。
そして、外型枠２２は立上り面形成板１１と上部面形成板１２とに所定間隔を隔てて対向するように型枠支持部材２３により支持・固定され、コンクリート打設空間Ｓ３を形成する。
【００１９】
そして、コンクリート打設空間内Ｓ３にコンクリートＣを打設する。
このようにすると、この流し込んだコンクリートＣがコーナー部材５０の水平板部５０ａの下方へ流れて屋根スラブ１を形成し、さらに、外型枠２２と立上り面形成板１１および上部面形成板１２とで囲まれた空間に下方側から徐々に充填され、立上り部３そして突出部４を形成する。
コンクリート硬化後以降は従来の技術と同様なので説明を省略する。
【００２０】
以上、説明したように、本実施の形態のコンクリート製建築構造物およびその構築方法によれば、以下の効果を得ることができる。
コーナー部材５０に立上り面形成板１１を嵌着することにより立上り面を形成することができるので、これら二つの部材のみで立上り面を有するコンクリート製建築構造物を構築することが可能となる。つまり、従来使用していた下側Ｈ型連結部材１５ａ（図３参照）を使用しなくてもコーナー部材５０と立上り面形成板１１を接合することができるようになったので、工法の簡略化と構築部材の削減が可能となる。
従来重かったセメントモルタル製のＬ型部材１０をアルミニウム合金製のコーナー部材５０に変更したため、軽量化を図ることができ、作業性が向上した。
厚さ約15mmの前記Ｌ型部材１０を厚さ約2mmのコーナー部材５０に変更することにより厚さを薄くすることができるので、コンクリート製建築構造物の断面の強度不足（断面欠損）が解消される。
また、押し出し成形で作ることにより、精度の良いものが大量生産できるのでコストダウンにもつながる。
コーナー部材５０に補強壁部５０ｄを設けたことにより、水平板部５０ａと外側立上り壁部５０ｂとが交差する角部にかかる荷重に対する強度の向上が可能となる。また、この補強壁部５０ｄはそのまま面取り部分になるので、防水層２８を立ち上げる際に、従来のモルタル塗や面取り作業が必要なくなるので、工期の短縮が可能となる。
レベラー６０を使用し、コーナー部材５０を固定することにより、浮かし型枠工法が容易となり、工期短縮が可能となる。
【００２１】
なお、本実施の形態においては、パラペット２を例に説明したが、機械基礎やハト小屋等のコンクリート製建築構造物の構築の際も、本発明を用いれば上記実施の形態と同様の作用・効果が得られる。
コーナー部材５０の材質をアルミニウム合金としたが、マグネシウム等の他の軽合金、または樹脂、セラミックスであってもよい。
補強壁部５０ｄのかわりに、パーライト等の軽量骨材やセメントモルタル等を水平板部５０ａと外側立上り壁部５０ｂとが交差する角部に充填してもよく、三角柱形状のアルミ合金や樹脂、無機物等の固体物を前記角部に密着させ接着もしくは溶接してもよい。
【００２２】
【発明の効果】
以上、説明したように、本発明のコンクリート製建築構造物およびその構築方法によれば、下記の効果を得ることができる。
請求項１記載のコンクリート製建築構造物によれば、コーナー部材に内側立上り壁部と外側立上り壁部からなる凹型嵌合部をもうけ、立上り壁部と直接嵌合し接合できる構成としたので、従来必要だった連結部材を用いることなくコンクリート製建築構造物を構築することができるようになり、工法の簡略化、構築部材の削減が可能になる。
請求項２記載のコンクリート製建築構造物によれば、コーナー部材に外側立上り壁部から水平板部の上面に向け下る方向に傾斜する補強壁部を設ける構成としたので、水平板部と外側立上り壁部とが交差する角部にかかる荷重に対する強度の向上が可能となる。
請求項３記載のコンクリート製建築構造物によれば、立上り面形成板の上部に上部面形成板を配置する構成としたので、突出部を有するコンクリート製建築構造物が構築可能となる。
請求項４記載のコンクリート製建築構造物の構築方法によれば、コーナー部材に形成した内側立上り壁部と外側立上り壁部からなる凹型嵌合部に立上り面形成板の下端を嵌着することにより立上り面を形成する方法としたので、従来必要だった連結部材を用いることなく構築が可能となる。また、コーナー部材と立上り面形成板を打込型枠として、コンクリートを打設する方法としたので、型枠の設置、解体、廃棄作業を軽減することが可能となる。ゆえに、工法の簡略化、構築部材の削減を図ることができる。
【図面の簡単な説明】
【図１】  本発明の実施の形態を示すコンクリート製建築構造物の断面図である。
【図２】  本発明の実施の形態のコンクリート製建築構造物を構成するコーナー部材の断面図である。
【図３】  従来の技術であるパラペットを備えた建築構造物の型枠の支持構造を示す断面図である。
【図４】  図３のパラペットを備えた建築構造物を構成するＨ型連結部材の断面図である。
【図５】  図３のパラペットを備えた建築構造物の構築工程を示す図であり、（ａ）はＬ型部材周辺の型枠の支持構造を示す断面図であり、（ｂ）は立上り部および突出部の配筋状況を示す断面図である。
【図６】  図３のパラペットを備えた建築構造物の構築工程を示す図であり、（ａ）は立上り面形成板および上部面形成板を組み立てた状況を示す断面図であり、（ｂ）は構築の終了したパラペットを備えた建築構造物を示す断面図である。
【符号の説明】
１  屋根スラブ（一の構築部）
１ａ  上面
２  パラペット
３  立上り部（二の構築部）
３ａ  立上り面
４  突出部
１１  立上り面形成板
１２  上部面形成板
１２ａ  端面形成板部
１２ｂ  下面形成板部
１２ｃ  上部立上り面形成板部
５０  コーナー部材
５０ａ  水平板部
５０ｂ  外側立上り壁部
５０ｃ  内側立上り壁部
５０ｄ  補強壁部
【図１】
0003703233.tif 000002
【図２】
0003703233.tif 000003
【図３】
0003703233.tif 000004
【図４】
0003703233.tif 000005
【図５】
0003703233.tif 000006
【図６】
0003703233.tif 000007